(57)【要約】  本発明は、空気流出開口部（６）から出る空気流を乗員の頭、首及び肩の領域に供給するための空気供給装置（４）が設けられた特に自動車用の自動車シートであって、前記空気供給装置が、前記空気流を加熱及び／又は冷却するための加熱装置及び／又は冷却装置（５）を備える自動車シートに関する。前記本発明の目的は、空気供給装置（４）の加熱装置及び／又は冷却装置（５）の効率度が向上した自動車シート用の空気供給装置を提供することである。このために、少なくとも１つの加熱層及び／又は冷却層（１４、２８、３４）と少なくとも１つの通気層（１０、１２、３０、３２、３８）とを有し、空気流を乱流又は拡散流に変換することを可能にする構造（４０、４０’、４０”、４０’’’）が設けられるサンドイッチ構造（１８）が使用される。
2009502275.tif 000002
【特許請求の範囲】
【請求項１】
空気流出開口部（６）から流出する空気流をシートの乗員の頭、首及び肩の領域に供給するための空気供給装置（４）を有する自動車用のシートであって、前記空気供給装置（４）が、空気流を加温及び／又は冷却するための加熱装置及び／又は冷却装置（５）を備え、
前記加熱装置及び／又は冷却装置（５）が、少なくとも１つの加熱層及び／又は冷却層（１４、２８、３４）と少なくとも１つの通気層（１０、１２、３０、３２、３８）とを有するサンドイッチ構造（１８）を備え、前記通気層（１０、１２、３０、３２、３８）が、空気流を乱流又は拡散流に変換できる構造（４０、４０’、４０”、４０’’’）を有することを特徴とする自動車シート。
【請求項２】
前記サンドイッチ構造（１８）の下流には、前記サンドイッチ構造（１８）から出る空気流を均一にするためのレストリクタ（３）、好ましくは格子素子が配置されることを特徴とする請求項１に記載の自動車シート。
【請求項３】
前記通気層（１０、１２、３０、３２、３８）の前記構造（４０、４０’、４０”、４０’’’）が、複数のスペーサ糸（４４、４６）、スペーサ繊維（４８）、スペーサワイヤ等を備えることを特徴とする請求項１あるいは２に記載の自動車シート。
【請求項４】
前記通気層（１０、１２、３０、３２、３８）の前記構造（４０、４０’、４０”、４０’’’）が編布から形成されることを特徴とする請求項１あるいは２に記載の自動車シート。
【請求項５】
前記通気層（１０、１２、３０、３２、３８）の前記構造（４０、４０’、４０”、４０’’’）が織布から形成されることを特徴とする請求項１あるいは２に記載の自動車シート。
【請求項６】
前記通気層（１０、１２、３０、３２、３８）の前記構造（４０、４０’、４０”、４０’’’）が組布から形成されることを特徴とする請求項１あるいは２に記載の自動車シート。
【請求項７】
前記通気層（１０、１２、３０、３２、３８）の前記構造（４０、４０’、４０”、４０’’’）が、ウール、特に金属ウールの形態で不規則に形成されることを特徴とする請求項１あるいは２に記載の自動車シート。
【請求項８】
前記通気層（１０、１２、３０、３２、３８）が、その２つの広い面において、それぞれのカバー層（４２）によって画定されることを特徴とする請求項１あるいは２に記載の自動車シート。
【請求項９】
前記２つのカバー層（４２）が、本質的にハニカム構造を有することを特徴とする請求項８に記載の自動車シート。
【請求項１０】
前記通気層（１０、１２、３０、３２、３８）の前記構造（４０、４０’、４０”、４０’’’）がプラスチックから製造されることを特徴とする請求項１あるいは２に記載の自動車シート。
【請求項１１】
前記通気層（１０、１２、３０、３２、３８）の前記構造（４０、４０’、４０”、４０’’’）が、特に金属、十分に暖気を伝えるか又は冷気を伝える金属から製造されることを特徴とする請求項１あるいは２に記載の自動車シート。
【請求項１２】
前記通気層（１０、１２、３０、３２、３８）の前記構造（４０、４０’、４０”、４０’’’）が容易に変形可能であるように構成されることを特徴とする請求項１あるいは２に記載の自動車シート。
【請求項１３】
前記加熱層及び／又は冷却層（１４、２８、３４）には、十分に暖気を伝えるか又は冷気を伝えるカバー層（２４）が割り当てられ、該カバー層が前記加熱層及び／又は冷却層（１４、２８、３４）と前記通気層（１０、１２、３０、３２、３８）との間に配置されることを特徴とする請求項１あるいは２に記載の自動車シート。
【請求項１４】
少なくとも３つの通気層（１０、１２）が設けられ、加熱層及び／又は冷却層（１４）のそれぞれが、前記中央層及び前記外側通気層（１０、１２）の間に配置されることを特徴とする請求項１あるいは２に記載の自動車シート。
【請求項１５】
前記中央通気層（１０）の前記構造（４０、４０’、４０”、４０’’’）が、前記外側通気層（１２）の前記構造（４０、４０’、４０”、４０’’’）よりも大きい流動抵抗を有することを特徴とする請求項１４に記載の自動車シート。
【請求項１６】
前記通気層（３０）と前記加熱層及び／又は冷却層（２８）との前記サンドイッチ構造（１８）が、略渦巻状に巻かれることを特徴とする請求項１あるいは２に記載の自動車シート。
【請求項１７】
前記通気層（３２）が、周縁側において前記加熱層及び／又は冷却層（３４）によって囲まれることを特徴とする請求項１あるいは２に記載の自動車シート。
【請求項１８】
前記加熱層及び／又は冷却層（３４）が、周縁側において、別の通気層（３８）によって囲まれることを特徴とする請求項１７に記載の自動車シート。
【請求項１９】
前記内側通気層（３２）の前記構造（４０、４０’、４０”、４０’’’）が、前記周縁外側通気層（３８）の前記構造（４０、４０’、４０”、４０’’’）よりも大きい流動抵抗を有することを特徴とする請求項１８に記載の自動車シート。
【請求項２０】
前記空気流出開口部（６）が、出口格子（３）、メッシュ等によって覆われることを特徴とする請求項１あるいは２に記載の自動車シート。
【請求項２１】
新たに組み込み可能なモジュールとして、前記空気供給装置（４）を背もたれ（２）にはめ込むことができることを特徴とする請求項１あるいは２に記載の自動車シート。
【請求項２２】
予め組み立てられた取付モジュールとして、前記空気供給装置（４）を前記自動車シートに一体化できることを特徴とする請求項１あるいは２に記載の自動車シート。
【請求項２３】
前記サンドイッチ構造（１８）が前記空気供給装置（４）の空気ダクト（１６）内に配置され、前記サンドイッチ構造（１８）が、断面に見られるように、前記空気ダクト（１６）の断面の少なくともほぼ全体を占めることを特徴とする請求項１あるいは２に記載の自動車シート。
【発明の詳細な説明】
【技術分野】
【０００１】
本発明は、シートの乗員の頭、首及び肩の領域に空気流を供給するための空気供給装置を有する、請求項１の前段に記載の特に開放型自動車（オープンカー）用の自動車シートに関する。
【背景技術】
【０００２】
特許文献１から知られているように、既に、自動車シートの空気供給装置が採用されており、この空気供給装置において、シートの乗員に面するシートの当該面には空気流出開口部が設けられ、シートの乗員の頭、首及び肩の領域に供給するために、前記空気流出開口部を通して、加熱素子で発生される暖かい空気流を流出できる。オープン走行時には、既知のように、フロントガラスを越えて又はその周囲を回った空気流によって、車両シートの後部に、いわゆる空気の渦が発生し、この空気の渦により、シートの乗員の頭、首及び肩の領域に、望ましくない巻き込み現象が生じる。これらの巻き込み現象を極めて最小限に抑えるために、空気供給装置によって発生された暖かい空気流は、空気流出開口部のノズルによってシートの乗員の適切な身体領域に導かれる。次に、頭、首及び肩の領域の所望の加温を実現するように、暖かい空気がシートの乗員の周囲に流れる。
【０００３】
【特許文献１】独国特許出願公開第１０３１７５１２Ｂ３号明細書
【発明の開示】
【発明が解決しようとする課題】
【０００４】
本発明の目的は、空気供給装置の加熱装置及び／又は冷却装置の効率が向上した冒頭に記載した種類の自動車シート用の空気供給装置を提供することである。
【課題を解決するための手段】
【０００５】
この目的は、本発明によれば、請求項１の特徴を有する自動車シートによって達成される。本発明の有利な実施形態及び好ましい重要な改良形態は別の請求項で規定されている。
【０００６】
本発明によれば、自動車シートの空気供給装置には加熱装置及び／又は冷却装置が設けられ、その通気層には、流入する空気流を乱流又は拡散流に変換できる構造が設けられる。この種類の乱流又は拡散流は、層状空気流よりも極めて多くの暖気又は冷気を吸収できるという利点を有する。層流とは異なり、加熱層及び／又は冷却層に直接接触する境界層が加温又は冷却されるだけでなく、実際に、本例では、空気流の拡散分布によって、極めて多量の空気成分がこのように加温又は冷却される。さらに、発生された乱流又は拡散流は通気層内により長く滞留するので、より多量の暖気又は冷気を吸収できる。この結果、加熱出力が一定であった場合、従来技術と比較して、流入空気と流出空気とのより大きい温度差をこのように達成できる。
【０００７】
空気流の乱流又は拡散流は、複数のスペーサ糸、スペーサ繊維、スペーサワイヤ等を有する通気層の構造によって実現される。例えば、独国特許発明第１９８０５１７８Ｃ２号明細書から知られているように、前記通気層の可能な設計が採用されており、この文献は、車両用通気シートに使用するためのスペーサ編布に関しており、その内容が本明細書に明示的に参照される。この文献では、スペーサ編布は、その外側の広い面に対して横方向に延び、かつ乱流空気流又は拡散空気流が周囲に流れることができる複数のスペーサ繊維又はスペーサ糸を備える。ここで、スペーサ繊維又はスペーサ糸は、流れ方向と流速とを変化させることができる特定のパターンで相互に配置される。これに関連して、スペーサ繊維又はスペーサ糸が、例えば、円形、楕円形、長方形、正方形等のような多様な断面形状を有することができることに留意されたい。この場合、スペーサ繊維又はスペーサ糸は、相互配向構造又は非相互配向構造で整列させることができ、多様な材料からなる。編布、織布として又は組布として、スペーサ繊維又はスペーサ糸を構成することが特に有利であることが証明されている。しかし、それにもかかわらず、非配向構造でウールの形態でスペーサ糸又はスペーサ繊維を配置することが可能である。上記の編布、織布又は組布が、貫流空気に暖気／冷気を供給するために、非常に大きい周辺流動領域を有することが理解できる。
【０００８】
さらに、例えばアルミニウム合金又は銅合金等の十分な伝導性を有する金属から、通気層の構造を製造することが特に有利であることが証明されている。したがって、この種類の金属糸は、暖気又は冷気を周辺流動空気に供給するのに特によく適している。このようにして、複数のスペーサ糸、スペーサワイヤ又はスペーサ繊維の周辺流動領域が大きいことにより、極めて有効な加熱装置及び／又は冷却装置を形成できる。
【０００９】
さらに、上記構造のスペーサ繊維、スペーサワイヤ又はスペーサ糸は、弾性的に可撓性の構造であり得るという利点を有する。これによって、通気層、あるいは加熱層及び／又は冷却層と通気層とのサンドイッチ構造全体と、加熱装置及び／又は冷却装置、あるいは空気供給装置全体を配置すべき設置空間とを適切に簡単に適合させることが可能である。
【００１０】
十分に暖気を伝えるか又は冷気を伝えるカバー層が加熱層又は冷却層に割り当てられた場合、特に高い加熱層の加熱出力又は冷却層の冷却出力を実現でき、これによって、発生された暖気／冷気が加熱層又は冷却層内に均一に分配される。特に、このことについては、例えばアルミニウム合金又は銅合金の金属箔又は金属板が適切であることが証明されている。
【００１１】
少なくとも３つの通気層を設けることによって、加熱装置及び／又は冷却装置の特に有効なサンドイッチ構造が形成され、この場合、加熱層又は冷却層は中央層と外側通気層との間にそれぞれ配置される。このようにして、中央通気層には、これらの側面にある加熱層又は冷却層の両方によって暖気又は冷気が供給され、この結果、中央層を通って流れる空気流を特に迅速に加温又は冷却できる。したがって、２つの外側通気層には、隣接する加熱層又は冷却層によってのみ暖気又は冷気が供給され、この結果、この領域において、前記加熱層又は冷却層を通って流れる空気流のより弱い加温又は冷却が行われる。これによって、特に、例えばハウジング又はそれに隣接する他の部品等の、このサンドイッチ構造を囲む構造部品のオーバーヒーティングが確実に生じなくなる。
【００１２】
さらに、複数の層がサンドイッチ構造に組み合わされている場合、例えば、各層の個々のスペーサ繊維、スペーサワイヤ又はスペーサ糸の距離及び配向が異なることによって、前記複数の層の流動抵抗を別々に形成できる。このようにして、例えば、３つの通気層の中央の適切により細かく網目状にされた編布又は織布等により、それらを通って流れる空気流が、２つの外層におけるよりも前記編布又は織布等により長く滞留することを実現できる。
【００１３】
別の好ましい実施形態では、中央に配置された通気層は、周縁側で加熱層によって囲まれる。これにより、貫流空気流の特に迅速かつ均一な加温又は冷却が行われる。ここで、加熱層の周縁側には、別の通気層を設けることができ、この場合、好ましい実施形態では、中央層によって、流れている空気流が、周縁側に配置された層を通って流れる空気流よりも強く加温又は冷却される。この構造によって、中央通気層で空気流を非常に迅速にかつ強く加温又は冷却できることが可能になり、一方、その結果、周縁側に配置された外側通気層を通って流れる空気流は、より低いか又はより高い温度を有し、例えばハウジング壁等の隣接する構造部品を過熱又は過冷却することがない。場合により挿入された加熱層又は冷却層を有する中央に構成されたこのような構造の通気層を任意選択的に延長できることが明らかである。さらに、加熱層及び冷却層の両方の円形及び楕円形等の構造が可能である。
【００１４】
好ましい実施形態では、サンドイッチ構造に組み合わされた層の下流にレストリクタが設けられ、このレストリクタによって、規定された流動阻止が実現されるようになっている。この場合、レストリクタは、サンドイッチ構造の領域の空気ダクトの内側に完全に配置される。格子又は絞りとして構成できるこのレストリクタによって、空気流が遅くなり一定化される。このことにより、より均一な空気流が得られ、したがって、加熱装置及び／又は冷却装置の効率が向上する。
【００１５】
本発明の別の利点、特徴及び詳細は、好ましい例示的実施形態の以下の説明からまた図面を参照すれば明らかである。
【発明を実施するための最良の形態】
【００１６】
図１ａと図１ｂには、自動車シートの背もたれ１の概略正面斜視図及び概略側面図がそれぞれ示されている。背もたれ１にはヘッドレスト２が割り当てられる。ここで、自動車シートは一体型シートとして構成され、ヘッドレスト２は、背もたれ１の前側において、背もたれ１に重なって接触するように配置される。ヘッドレスト２は、案内手段（図示せず）により、背もたれ１に対して高さ調節可能である。背もたれ１内には、基本構造部品として、空気供給装置４の下端のファン２０（概略的に図示）と、ファン２０よりも上方に配置された空気ダクト１６とを備える空気供給装置４が固定される。空気ダクト１６内において、ファン２０の圧力側の上方のある距離にまたその圧力側に、図１ａで破線でのみ示されている加熱装置及び／又は冷却装置５が設けられ、この加熱装置及び／又は冷却装置によって、ファン２０で発生される空気流を以下により詳細に説明するように加熱または冷却できる。上端において、垂直に延びる空気ダクト１６は、前方に向かってＬ字状に角度が付けられ、空気流出開口部６に終端する。空気ダクト１６内には、空気流出開口部６に近接する格子素子３が示されている。格子素子３は、サンドイッチ構造１８から流出する空気流の追加の均一化及び一定化を保証するレストリクタとして構成される。さらに、格子素子３は動圧を発生させ、この結果、加熱装置及び／又は冷却装置５を通って流れる空気流は、サンドイッチ構造１８内により長く滞留し、このようにして、より良く加温又は冷却することができる。図１ｂでは、背もたれ１のサイドの張り出し８と、背もたれ１の中央左右対称領域の破線で示されている椅子張りカバー７の延在形状とを見ることができる。これによって、空気供給装置４が背もたれ１内に完全に配置され、空気流出開口部６のみを外側から見ることができることも認識できる。空気供給装置４は、本例において、車両シートに一体化できかつシートの背もたれフレーム（図示せず）に固定できる予め組み立てられた取付モジュールとして形成される。しかし、同様に、新たに組み込み可能なモジュールとして、空気供給装置４を背もたれ１の後側にはめ込み、例えば取付けることも可能である。本発明の例示的実施形態では、空気供給装置４の下端に見ることができるファン２０は、背もたれ１の後側に配置された、見ることができない入口開口部を有する。本図に示されている例示的実施形態では、空気ダクト１６の両方はプラスチックからなる。この場合、ファン２０のハウジングは空気ダクト１６と一体に構成される。
【００１７】
空気供給装置４によって、シートの乗員の頭、首及び肩の領域に、暖かい及び／又は冷たい空気流を選択的に当てることができる。オープン走行時には、既知のように、フロントガラスを越えて又はその周囲を回って流れる空気によって、車両シートの後部の領域に、いわゆる空気の渦が発生し、この空気の渦により、シートの乗員の頭、首及び肩の領域に、望ましくない巻き込み現象が生じる。これらの巻き込み現象を極めて最小限に抑えるために、空気供給装置４によって発生された暖かい空気流が、シートの乗員の適切な身体領域に導かれる。次に、暖かい空気は、頭、首及び肩の領域の所望の加温を実現するように、シートの乗員の周囲に流れる。逆に、特に高温時の冷却のために、冷たい空気を用いることもできる。
【００１８】
図２には、空気供給装置４の加熱装置及び／又は冷却装置５が、関連付けられたファン２０と共に示されている。加熱装置及び／又は冷却装置５には、中央通気層１０と２つの外側通気層１２とが設けられ、これらの層は、サンドイッチ構造１８を形成するように、以下により詳細に説明する２つの加熱層及び／又は冷却層１４と組み合わされる。この場合、サンドイッチ構造１８は、単に概略的にまた要約して示されている空気ダクト１６内に配置される。
【００１９】
この場合、断面を見ると、サンドイッチ構造１８は空気ダクト１６の断面の少なくともほぼ全体を占める。空気ダクト１６内にはファン２０も示されており、このファンによって、以下により詳細に説明するように、特に、車両シートの後部の領域からサンドイッチ構造１８を通して空気が搬送される。本発明の例示的実施形態では、加熱装置及び／又は冷却装置５及びサンドイッチ構造１８及び空気ダクト１６のそれぞれの断面は略長方形状である。
【００２０】
中央通気層１０と、それぞれ割り当てられた外側通気層１２との間に配置された加熱装置及び／又は冷却装置１４は、抵抗加熱素子、ペルチェ素子等を備え、これらの素子には、電流をそれぞれ供給でき、これらの素子は、本例において、薄層で変形可能な弾性の層２２として構成される。２つの加熱層１４には、十分に暖気を伝えるか又は冷気を伝えるカバー層２４がそれぞれ割り当てられ、このカバー層のそれぞれは、中央通気層１０の広い面（表面に当たる側）に隣接し、図示されている例示的実施形態において、十分な伝導性を有する金属箔又は金属板から、特にアルミニウム合金又は銅合金から製造される。本発明の例示的実施形態では、すべての層１０、１２、１４、２２及び２４は平坦に構成されて、間隔が近接している。
【００２１】
空気流が、サンドイッチ構造１８の上流に取付けられたファン２０によって発生された場合、この空気流はそれぞれの狭い面（断面に当たる側）を介して中央通気層１０及び２つの外側通気層１２に流入する。本発明の例示的実施形態では、３つの通気層１０、１２は、複数のスペーサ糸又はスペーサ繊維からなる、図７ａと図７ｂを参照して以下により詳細に説明するスペーサ編布から製造される。この場合、スペーサ糸又はスペーサ繊維は、実質的に、空気流の流れ方向に対して横方向に又は通気層１０、１２の広い面に対して横方向に延びる。勿論、この種類のスペーサ編布の代わりに、複数のスペーサ糸から製造された織布、組布又はウール状組成物を使用することもできる。言い換えれば、スペーサ繊維又はスペーサ糸は、相互配向構造で、さもなければ、通常はウールと共に、互いに不規則に配置することができる。したがって、ファン２０によって発生された空気流は、それぞれの通気層１０、１２を通って流れたときに、スペーサ糸又はスペーサ繊維で頻繁に対応して偏向され、ほんの僅かな距離にわたって、乱流拡散流がそれぞれの通気層１０、１２内に確立される。層流と比較して、スペーサ糸又はスペーサ繊維によって発生されたこの拡散流は、関連付けられた通気層１０、１２内により長く滞留し、したがって、抵抗加熱層２２とカバー層２４とからなる加熱素子１４を介して、より多くの暖気（又は冷却層１４の場合には冷気）を吸収できる。さらに、それぞれの通気層１０、１２内における空気流の拡散分布によって、個々の境界層がそれぞれの加熱層１４に接触するだけでなく、空気流の十分で均一な混合が生じる。
【００２２】
中央通気層１０は、その２つの広い面において、加熱層１４及びカバー層２４のそれぞれによって画定されるので、中央通気層１０を通って流れる空気流は、特に強く加温される（又は冷却層１４の場合には冷却される）。２つの外側通気層１２のそれぞれが加熱層１４又はその抵抗加熱層２２に接触することによって、中央層１０に面する前記外側通気層の広い面においてのみ、外側通気層１２のそれぞれを通って流れる２つの空気流は、中央通気層１０を通って流れる空気流よりも強く加温されない（又は冷却層１４の場合には強く冷却されない）。これにより、特に、外側通気層１２を通って流れる空気流の高温によって、確実に、空気ダクト１６の壁部が過熱されることがなくなる。言い換えれば、外側通気層１２を通って流れる２つの部分空気流は、より暖かい部分的中央空気流のためのある種の断熱体として作用する。
【００２３】
さらに、本発明の例示的実施形態では、中央通気層１０は、この側面にある２つの外側通気層１２よりも大きい流動抵抗を有する。中央通気層１０のスペーサ糸又はスペーサ繊維が共に近接して配置され、このようにして、編布又は織布が、２つの外側通気層１２の構造よりも緻密な網目状に又は全体的に高密度に形成されることによって、より大きい流動抵抗が得られる。この効果（通気層１０、１２の入口側において、すべての空気流の流入速度が同一であった場合）は、中央層１０を通る部分空気流が、２つの外層１２を通って流れる２つの部分空気流よりもゆっくりと前記中央層を通って流れることである。異なる速度によって、より多量の又はより少量の暖気（又は冷却層１４の場合には冷気）を個々の空気流で吸収できる。さらに、すなわち、中央層１０からのより暖かい中央空気流と、外層１２からの若干暖かさの弱い２つの外側空気流とにより、出口側において、すべての空気流の場合による所望の階層化を実現できる。
【００２４】
図３は、サンドイッチ構造１８が複数の通気層１０、１２と加熱層又は冷却層１４とを有する第２の実施形態による加熱装置及び／又は冷却装置５の概略断面図を示している。この場合、破線で示されているように、サンドイッチ構造１８は、１つ以上の中央通気層１０によって補完することができ、したがって、前記サンドイッチ構造の厚さが可変である。本図に示されている実施形態では、３つの中央空気伝導層１０と、外側において、外側通気層１２のそれぞれとが配置され、少なくとも１つの加熱層及び／又は冷却層１４は、個々の通気層１０、１２の間にそれぞれ設けられる。この場合、次に、サンドイッチ構造１８は、空気ダクト１６内に配置され、本発明の例示的実施形態において、複数のファン２０の下流に配置される。図３において、最上加熱層１４は、図２による最上加熱層１４と同一であるが、第２の最上加熱層１４’及び第３の最上加熱層１４”は、上から見ると、それぞれ異なる構造を有する。第２の最上加熱層１４’の場合、上部に配置されるか又は下部に配置された中央通気層１０に直接隣接して、十分に暖気を伝える金属板又は金属箔から製造されるカバー層２４がそれぞれ設けられる。図２を参照して既述したように、２つのカバー層２４の各々には抵抗加熱層２２がそれぞれ割り当てられる。第３の最上加熱層１４”の構造は、２つの抵抗加熱層２２ではなく、それらの一方のみが、２つのカバー層２４の間に配置され、このようにして、これらの２つのカバー層２４を加熱するという点において、第２の最上加熱層１４’のこの構造とは異なる。図３による加熱装置５の作動方法については、異なる数の通気層１０が使用されるか又は異なる数の加熱層１４が割り当てられることを除いて別形態である図２による加熱装置５の作動方法を参照されたい。
【００２５】
図４は、筒状空気ダクト１６内に配置される第３の実施形態による加熱装置５の概略斜視図を示している。空気ダクト１６内において、サンドイッチ構造１８の上流にファン（図示せず）が設けられ、このファンによって、矢印２６で示されている空気流が発生される。サンドイッチ構造１８は、加熱層２８と通気層３０とから本質的になり、略円形断面の渦巻状に巻かれる。この場合、通気層３０は、周縁側で加熱層２８を完全に密閉するように構成される。次に、加熱層２８は、抵抗加熱層２２からなり、この抵抗加熱層は、その２つの広い面において、好ましくは金属箔又は金属板から製造されたそれぞれのカバー層２４によって覆われる。この場合も、通気層３０の中央部は加熱層２８の二つの広い面に面していることが理解できる。したがって、これらの領域では、空気流の強い加熱が可能である。対照的に、通気層３０の周縁外側部分、又は空気ダクト１６の壁部に隣接する前記周縁外側部分は、一方のみの、すなわち内側の広い面が加熱層２８に面している。それに応じて、空気ダクト１６の壁部に隣接する通気層３０の外側領域を通って流れる空気流の当該部は、上記のすべての空気流の内側部分よりも強く加温されない。結果として、断面を見ると、すべての空気流の階層化もこのように行われ、この場合、部分的中央空気流が空気流の外側部分よりも強く加温される。通気層３０が、異なる流動抵抗を有する複数の部分を備えることもできることが明らかである。さらに、この場合には、加熱層２８の代わりに又はそれに加えて、冷却層を設けることもできる。
【００２６】
図５には、サンドイッチ構造１８が、筒状空気ダクト１６として構成されたハウジング内に配置される第４の実施形態による加熱装置５の概略断面図が示されている。この場合、サンドイッチ構造１８は、周縁側で加熱層３４によって囲まれる全体的に略円形断面の中央通気層３２を有する。加熱層３４は金属板又は金属箔のカバー層２４を有し、このカバー層は、通気層３２の外装側に隣接し、次に、抵抗加熱層２２によって外側を密閉される。加熱層３４の外周側には、加熱層３４と空気ダクト１６の壁部との間で延びる外側通気層３８が設けられる。この場合も、中央に配置された通気層３２を外側通気層３８よりも強く加温できることが理解できる。ここでも、中央通気層３２及び外側通気層３８は、貫流する空気流に対して、異なる流動抵抗を提供できる。
【００２７】
図６には、図５による加熱装置５の別の実施形態が示されており、この別の実施形態は、本質的に、本例でサンドイッチ構造１８の楕円形断面が選択されていることによってのみ、図５による実施形態とは異なる。空気ダクト１６の直径に従って、図５と図６によるサンドイッチ構造１８を任意選択的に半径方向に延長できる。サンドイッチ構造１８は、その長さに関して任意選択的に形成することもできる。
【００２８】
図７ａと図７ｂには、通気層１０、１２、３０、３２、３８の可能な構造４０の概略平面図及び図７ａの線ＶＩＩｂ−ＶＩＩｂに沿った概略断面図がそれぞれ示されている。この場合、構造４０は、その上下の広い面にハニカム構造４２の形態のカバー層をそれぞれ有するいわゆるスペーサ編布からなる。上下のカバー層４２の間には複数のスペーサ糸又はスペーサ繊維４４が延び、この複数のスペーサ糸又はスペーサ繊維は２つのカバー層４２に対してほぼ横方向に延びる。この場合、スペーサ糸又はスペーサ繊維４２の相互配向及び距離によって、構造４０の流動抵抗を変化させることができ、したがって、構造４０を通って流れる空気流の流速を調節できる。本発明の例示的実施形態では、特にプラスチックからスペーサ糸又はスペーサ繊維４４を製造できる。特定の一実施形態では、スペーサ糸又はスペーサ繊維４４の代わりに、アルミニウム合金又は銅合金等の適切な熱伝導性金属から製造されることが好ましいスペーサワイヤ等が使用される。この種類の金属ワイヤは、プラスチック糸に関して、特に適切には通気層１０、１２、３０、３２、３８を通って流れる空気流の乱流又は拡散流からの暖気又は冷気（加熱層及び／又は冷却層１４、２８、３４によって発生される）をさらに加温できるという利点を有する。
【００２９】
図８ａと図８ｂには、別の実施形態による通気層１０、１２、３０、３２、３８の構造４０’の概略平面図及び図８ａの線ＶＩＩＩｂ−ＶＩＩＩｂに沿った概略断面図がそれぞれ示されている。この場合、スペーサ繊維又はスペーサワイヤ４６は構造４０’の２つの広い面に対して垂直に延びる。ここで、スペーサ繊維又はスペーサワイヤ４６は、図８ａから理解できるように、一列に配置される。
【００３０】
図９ａと図９ｂには、略長方形断面のスペーサ繊維４８が構造４０の２つの広い面の間に延びる別の構造４０”の概略平面図及び図９ａの線ＩＸｂ−ＩＸｂに沿った概略断面図がそれぞれ示されている。代替形態のスペーサ繊維４８の構造の平面図を示している図１０を参照すると、通気層を通って流れる空気流の流れ方向に沿って、それに対して横方向に、さもなければ、それに対して斜めに、繊維を整列させることができることが明らかである。
【００３１】
さらに、図１１ａと図１１ｂは、スペーサ糸、スペーサ繊維又はスペーサワイヤが、非相互配向構造でウールの形態で整列される構造４０’’’の概略平面図及び図１１ａの線ＸＩｂ−ＸＩｂに沿った断面図をそれぞれ示している。この場合、特に、プラスチックから、さもなければ金属から、スペーサ糸、スペーサ繊維又はスペーサワイヤを製造できる。
【図面の簡単な説明】
【００３２】
【図１ａ】本発明による空気供給装置が一体化される自動車シートの概略斜視図である。
【図１ｂ】本発明による空気供給装置が一体化される自動車シートの概略側面図である。
【図２】３つの通気層の間に配置された２つの加熱層又は冷却層からなるサンドイッチ構造を有する空気供給装置の加熱装置及び／又は冷却装置の概略断面図である。
【図３】任意選択的に延長可能な複数の通気層が、加熱層又は冷却層によってそれぞれ互いに離隔されるサンドイッチ構造の概略断面図である。
【図４】略渦巻状に巻かれかつ空気供給装置の空気ダクト内に配置される、通気層と加熱層及び／又は冷却層とのサンドイッチ構造の概略斜視図である。
【図５】中央通気層が、周縁側で加熱層又は冷却層によってまた別の通気層によって囲まれる円形のサンドイッチ構造の概略断面図である。
【図６】中央通気層が、周縁側で加熱層又は冷却層によってまた別の通気層によって囲まれる楕円形のサンドイッチ構造の概略断面図である。
【図７ａ】第１の実施形態による通気層の構造の平面図である。
【図７ｂ】第１の実施形態による通気層の構造の、図７ａの線ＶＩＩｂ−ＶＩＩｂに沿った断面図である。
【図８ａ】第２の実施形態による通気層の構造の平面図である。
【図８ｂ】第２の実施形態による通気層の構造の、図８ａの線ＶＩＩＩｂ−ＶＩＩＩｂに沿った断面図である。
【図９ａ】第３の実施形態による通気層の構造の概略平面図である。
【図９ｂ】第３の実施形態による通気層の構造の、図９ａの線ＩＸｂ−ＩＸｂに沿った断面図である。
【図１０】第４の実施形態による通気層の構造の概略平面図である。
【図１１ａ】第５の実施形態による通気層の構造の概略平面図である。
【図１１ｂ】第５の実施形態による通気層の構造の、図１１ａの線ＸＩｂ−ＸＩｂに沿った断面図である。
【図１ａ】
2009502275.tif 000003
【図１ｂ】
2009502275.tif 000004
【図２】
2009502275.tif 000005
【図３】
2009502275.tif 000006
【図４】
2009502275.tif 000007
【図５】
2009502275.tif 000008
【図６】
2009502275.tif 000009
【図７ａ】
2009502275.tif 000010
【図７ｂ】
2009502275.tif 000011
【図８ａ】
2009502275.tif 000012
【図８ｂ】
2009502275.tif 000013
【図９ａ】
2009502275.tif 000014
【図９ｂ】
2009502275.tif 000015
【図１０】
2009502275.tif 000016
【図１１ａ】
2009502275.tif 000017
【図１１ｂ】
2009502275.tif 000018
【国際調査報告】
2009502275.tif 000019
2009502275.tif 000020
2009502275.tif 000021
2009502275.tif 000022
2009502275.tif 000023
2009502275.tif 000024